【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
タッチディスプレイを固定した第１部分と、第２部分とを有するハウジングを備えたモバイル演算装置のための保護容器であって、
分離ユニットである前記モバイル演算装置の第２部分を収容しているボトム部材と、
前記第１部分を収容し、前記タッチディスプレイの一部に直接触れることができるように、前記タッチディスプレイの少なくとも一部を枠に入れる内側縁を有するトップ部材と、
前記第１及び第２部分を収容し、前記トップ部材を前記ボトム部材でシールし、前記タッチディスプレイの一部に隣接する耐水性シールを形成すべく前記トップ部材の内側縁近傍に位置するシール部を前記第１部分に直接係合するために、前記トップ部材を前記ボトム部材に連結している連結機構と、
を備え、
前記連結機構は、前記ボトム部材と前記トップ部材の間に第１シールを備え、
前記トップ部材のシール部は、前記トップ部材が前記ボトム部材に連結されているとき、前記内方縁と前記タッチディスプレイの一部に隣接した領域との間に第２シールを備えている保護容器。
【請求項２】
前記トップ部材の内側縁に隣接する可撓性リッジをさらに備え、前記可撓性リッジは、前記タッチディスプレイ近傍のモバイル演算装置のトップ部材と連動する請求項１に記載の保護容器。
【請求項３】
前記連結機構は、前記トップ部材の外周の第１ラッチ機構と、前記トップ部材が前記ボトム部材に連結されるとき、前記トップ部材を前記ボトム部材に外れ止めするために、前記第１ラッチ機構に外れ止めされるように構成された第２ラッチ機構と、を備えている請求項１に記載の保護容器。
【請求項４】
前記トップ部材と前記ボトム部材は硬質のフレーム部材をそれぞれ備え、
前記第１ラッチ機構は、前記ボトム部材の外周から上方に延びる第１壁と、前記第１壁の内面の少なくとも一部に沿って内方に突出する第１リッジとを備え、前記第２ラッチ機構は、前記トップ部材の外周から下方に延びる第２壁と、前記チップ部材が前記ボトム部材に外れ止めされるとき、前記第１ラッチ機構の第１リッジに係合するために、第２壁の外面の少なくとも一部に沿って突出する第２リッジとを備えている請求項３に記載の保護容器。
【請求項５】
前記ラッチ機構は、
前記第１ラッチ機構近傍の前記ボトム部材上の第３ラッチ機構と、
前記第２ラッチ機構近傍の前記トップ部材上で、前記トップ部材が前記ボトム部材に連結されるとき、さらに前記トップ部材を前記ボトム部材に外れ止めするために、前記第３ラッチ機構に外れ止めされるように構成されている第４ラッチ機構と、
をさらに備えている請求項３に記載の保護容器。
【請求項６】
前記トップ部材と前記ボトム部材は硬質のフレーム部材を備え、
前記第２ラッチ機構は、前記トップ部材の外周から下方に延びる第２壁と、前記トップ部材が前記ボトム部材に連結されるとき、前記第１ラッチ機構の第１リッジに係合する第２壁の外面の少なくとも一部に沿って突出する第２リッジとを備え、前記第３ラッチ機構は、前記ボトム部材から上方に延び、前記ボトム部材の外周の少なくとも一部に沿って第１溝を形成するために第１壁から離れた第３壁を備え、前記第３ラッチ機構は、さらに第３壁に離間して設けた多数の戻り止めを備えている請求項５に記載の保護容器。
【請求項７】
前記第４ラッチ機構は、前記トップ部材の外周から下方に延びる第２壁の内面から突出する多数のタブを備え、前記各タブは、前記トップ部材が前記ボトム部材に外れ止めされているとき、前記第３ラッチ機構の多数の戻り止めの対応する１つと係合している請求項６に記載の保護容器。
【請求項８】
前記トップ部材が前記ボトム部材に外れ止めされているとき、前記トップ部材の外周から下方に延びる第２壁に隣接する第２溝に配置される第１ガスケットをさらに備え、前記第１ガスケットは、前記トップ部材が前記ボトム部材に連結されているとき、前記トップ部材と前記ボトム部材の間に第１耐水性シールを備える請求項６に記載の保護容器。
【請求項９】
前記トップ部材は、前記内側縁に隣接する第２溝を備え、前記第２シールは、前記トップ部材が前記ボトム部材に連結されているとき、前記タッチディスプレイの少なくとも一部に隣接する領域に隣接する第２溝内に配置される第２ガスケットを備え、前記第２ガスケットは、前記トップ部材が前記ボトム部材に連結されているとき、前記トップ部材と前記ボトム部材の間に第２耐水性シールを備える請求項８に記載の保護容器。
【請求項１０】
前記連結機構は、スクリュー、ラチェット、ボルト、スナップ、戻り止め、ボール・ソケット連結部、リジッド、穴及び中子、及びマッシュルーム型スナップの１以上を備える請求項１に記載の保護容器。
【請求項１１】
１以上の電気相互接続ポートをさらに備え、前記各電気相互接続ポートはシール部材を備える請求項１に記載の保護容器。
【請求項１２】
前記電気相互接続ポートは、データ及び充電ポートを備え、前記シール部材はラッチドアを備える請求項１１に記載の保護容器。
【請求項１３】
前記データ及び充電ポートは前記トップ部材を貫通し、前記ラッチドアは、回転軸によってボトム部材に連結され、前記データ及び充電ポートに外れ止めされるように構成されている請求項１２に記載の保護容器。
【請求項１４】
前記電気相互接続ポートは、ネジ付きイヤホンジャックの開口を含み、前記シール部材は、前記イヤホンジャックの開口を塞いでシールするネジ付き栓からなる多数のシール部材の１つによってシール可能である請求項１１に記載の保護容器。
【請求項１５】
前記電気相互接続ポートは、ラッチドア、プラグ、ガスケットを備えたスクリュー、差し込みピン、スライドドア、及びシール可能な開口を備えたラッチドアの１つによってシール可能である請求項１１に記載の保護容器。
【請求項１６】
前記ボトム部材は、前記ボトム部材を連結するために、前記ボトム部材の外面に物理的に相互接続される１以上の外部アクセサリをさらに備える請求項１に記載の保護容器。
【請求項１７】
音通過可能で不浸透性の膜で覆われたスピーカグリル、前記トップ部材又は前記ボトム部材に設けたカメラレンズ、モバイル演算装置の対応する１以上のボタンを操作するための１以上のシールされたボタン、及びモバイル演算装置の対応するリニアスイッチを操作するためのシールされたアクチュエータのうち、１以上をさらに備える請求項１に記載の保護容器。
【請求項１８】
前記ボトム部材は、直接背面に触れることができるように、タッチディスプレイとは反対側のモバイル演算装置のハウジングの第２部分の背面の少なくとも一部を枠に入れるための内側縁をさらに備え、前記連結機構は、ボトム部材の内側縁を、モバイル演算装置のハウジングの第２部分の背面の少なくとも一部に隣接する領域でシールするように構成されている請求項１に記載の保護容器。
【請求項１９】
前記連結機構は、ボトム部材の内側縁と、モバイル演算装置のハウジングの第２部分の背面の少なくとも一部に隣接する領域との間の第３シールを備える請求項１８に記載の保護容器。
【請求項２０】
ハウジングを有するモバイル演算装置を提供し、前記ハウジングは第１部分及び第２部分を有し、前記第１部分はタッチディスプレイを備え、
前記モバイル演算装置のための保護容器を提供し、前記保護容器は、トップ部材とボトム部材を有し、前記トップ部材と前記ボトム部材は、止め機構をそれぞれ備え、
前記モバイル演算装置のハウジングの第２部分を前記保護容器のボトム部材に保持し、前記ハウジングは前記保護容器からの分離ユニットであり、
前記モバイル演算装置の第１部分を前記保護容器のトップ部材に保持し、前記トップ部材はタッチディスプレイの一部を直接触ることができるように、タッチディスプレイの少なくとも一部を枠に入れる内側縁を有し、
前記各連結機構を介して、前記トップ部材に前記ボトム部材を連結することにより、前記モバイル演算装置の第１及び第２部分を収容し、前記トップ部材を前記ボトム部材でシールし、前記トップ部材の内側縁をタッチディスプレイの少なくとも一部に隣接する領域でシールし、前記連結機構は前記ボトム部材と前記トップ部材の間の第１シールを備える方法。
【請求項２１】
ハウジングを有するモバイル演算装置のために、前記ハウジングは第１部分及び第２部分を有し、前記第１部分は前記モバイル演算装置のハウジングの第１部分に固定したタッチディスプレイを備えた保護容器であって、
分離ユニットである前記ハウジングの第２部分を収容するボトム部材であって、
前記第１部分を収容し、タッチディスプレイの一部に直接触れることができるようにタッチディスプレイの少なくとも一部を枠に入れる内側縁と、ボトム部材が連結されているとき、前記内側縁と前記タッチディスプレイの一部に隣接する領域との間の第１シールとを備えるトップ部材と、
前記第１及び第２部分を収容し、前記トップ部材を前記ボトム部材でシールし、前記トップ部材の内側縁を前記タッチディスプレイの一部に隣接するモバイル演算装置の第１部分でシールするために、前記トップ部材に前記ボトム部材を連結する連結機構と、
を備えるモバイル演算装置の保護容器。
【請求項２２】
前記連結機構は、前記トップ部材と前記ボトム部材の間の第２シールを備える請求項２１に記載の保護容器。
【請求項２３】
前記トップ部材の内側縁に隣接する可撓性リッジをさらに備え、前記可撓性リッジは前記タッチディスプレイに隣接するモバイル演算装置のトップ部材に相互接続されている請求項２１に記載の保護容器。